【手続補正書】
【提出日】平成26年6月4日(2014.6.4)
【手続補正１】
【補正対象書類名】特許請求の範囲
【補正対象項目名】全文
【補正方法】変更
【補正の内容】
【特許請求の範囲】
【請求項１】
スキャン装置（２００）であって、
スキャン領域を横切る放射線を放出する放射線源（２０２）と、
直線状に連設された検出素子（３０２）を含み、前記スキャン領域を横断する放射線を検出する検出素子配列（２０４）であって、前記放射線源及び前記直線状に連設された検出素子は前記スキャン領域を挟んで互いに対向して位置しているものである前記検出素子配列（２０４）と、
対象物を移動させ前記スキャン領域に通過させ、その時に前記対象物をスキャンするように構成された移動装置（２０８）と、
を有し、
前記直線状に連設された検出素子（３０２）は、前記対象物を移動させる前記移動装置と連動して前記スキャン領域と実質的に平行な平面内を移動し、前記対象物をスキャンするための検出面を生成するように構成されたものであるスキャン装置。
【請求項２】
請求項１に記載のスキャン装置（２００）において、
前記直線状に連設された検出素子は、前記平面内で回転し前記検出面を生成するように構成されたものであるスキャン装置。
【請求項３】
請求項１または２に記載のスキャン装置において、
前記直線状に連設された検出素子は、前記平面内で移動し前記検出面を生成するように構成されたものであるスキャン装置。
【請求項４】
請求項１〜３の何れか１つに記載のスキャン装置において、
前記直線状に連設された検出素子は、前記平面内で枢動し前記検出面を生成するよう構成されたものであるスキャン装置。
【請求項５】
請求項１〜４の何れか１つに記載のスキャン装置において、
前記直線状に連設された検出素子は、前記対象物が前記スキャン領域を通過する際に、前記対象物の小区域を表わす三次元画素を複数の異なる角度からスキャンできる速度で回転するものであるスキャン装置。
【請求項６】
請求項１〜５の何れか１つに記載のスキャン装置において、
前記直線状に連設された検出素子は、単一の検出素子の列であるスキャン装置。
【請求項７】
請求項１〜６の何れか１つに記載のスキャン装置において、
前記検出面の検出領域は、前記直線状に連設された検出素子の検出領域よりも大きいものであるスキャン装置。
【請求項８】
請求項１〜７の何れか１つに記載のスキャン装置において、さらに、
固定部（１１８）及び回転部（１１６）を含む連結部（１１４）であって、前記検出素子配列は前記回転部に接合し連動して回転するものである、前記連結部（１１４）と、
前記回転部を回転させるように構成されたモーター（２２４）と、
前記動力装置に前記回転部を回転させるように制御する制御装置（２２６）と、
を有するスキャン装置。
【請求項９】
請求項１〜８の何れか１つに記載のスキャン装置において、
前記移動装置は、
コンベアのベルト（１００２）と、
前記コンベアのベルトを移動させるように構成された複数のローラー（１００４）であって、前記コンベアのベルトの一部は、前記スキャン領域において少なくとも一対の放射線半透過性ローラー（１００６）または放射線半透過性支持板（１４０２）の支持構造を含むものである、前記複数のローラー（１００４）と、
を有するスキャン装置。
【請求項１０】
請求項１〜８の何れか１つに記載のスキャン装置において、
前記移動装置は、
一連の放射線半透過性トレイ（１５０２）を有する移動装置
を有するスキャン装置。
【請求項１１】
請求項１〜１０の何れか１つに記載のスキャン装置において、さらに、
前記放射線源と前記スキャン領域との間に位置する放射線源用コリメータ（１１０２）であって、放射された前記放射線を調整し、前記直線状に連設された検出素子に入射する前記放射線の形状が前記直線状に連設された検出素子の放射線感知領域の形状と実質的に適合するように構成されたものであり、
前記直線状に連設された検出素子の動きと連動して移動し、これにより前記直線状に連設された検出素子が移動中に、前記放射線は前記直線状に連設された検出素子に入射された状態で維持されるものである、前記放射線源用コリメータ（１１０２）、
を有するスキャン装置。
【請求項１２】
請求項１〜１１の何れか１つに記載のスキャン装置において、さらに、
前記スキャン領域を横断する前記放射線を検出する少なくとも二つ目の検出素子配列、
を有するスキャン装置。
【請求項１３】
請求項１〜１２の何れか１つに記載のスキャン装置において、
前記対象物は旅行用荷物であり、前記スキャン装置は空港の危険物スキャン装置であるものとするスキャン装置。
【請求項１４】
スキャン領域において対象物をスキャンする方法であって、
直線状に連設された検出素子（３０２）を移動させ、前記スキャン領域において前記対象物をスキャンするための検出面を生成する工程と、
前記対象物を移動させ前記スキャン領域に通過させる工程と、
前記スキャン領域及び前記スキャン領域を通過する前記対象物を横切る前記放射線を生成する工程と、
前記スキャン領域及び前記対象物を横切る前記放射線を前記検出面で検出して、検出したものを示す信号を生成する工程と、
を有する方法。
【請求項１５】
請求項１４記載の方法において、さらに、
前記対象物が前記スキャン領域を通過する際に、前記対象物の小区域内を表わす三次元画素を少なくとも異なる二つの角度からスキャンできる速度で前記直線状に連設された検出素子を回転させ移動させる工程、
を有する方法。
【手続補正２】
【補正対象書類名】明細書
【補正対象項目名】０００３
【補正方法】変更
【補正の内容】
【０００３】
保安検査場においては、Ｘ線のラインスキャナーが機内持ち込み手荷物用のス  キャンに使用されている。図１はラインスキャナーの一例１００を模式的に示す図である。前記ラインスキャナーはコンベア１０２を含む。前記コンベアは、荷物１０４を移動させ、Ｘ線光源１０８と直線状に連設された検出素子１１０の間にある前記スキャン領域１０６に通過させる。その際、Ｘ線光源１０８はスキャン領域１０６を横断し前記直線状に連設された検出素子１１０に照射させるように放射線１１２を放射する。前記直線状に連設された検出素子１１０は検出された放射線を示す検出信号を生成する。この検出信号は処理されスキャンした領域の単一の二次元投影像を生成する。しかしながら、二次元投影像では容積の情報は投影されない。そのため、危険物を密集した複数の物体の背後に隠すことができる。この点、三次元の情報は、一対の検出素子／Ｘ線光源を複数異なる角度で配置することにより得ることができる。しかしながら、一対の検出素子／Ｘ線光源を追加すると費用がかかり、かつ、追加の設置空間を要する。
この出願の発明に関連する先行技術文献情報としては、以下のものがある（国際出願日以降国際段階で引用された文献及び他国に国内移行した際に引用された文献を含む）。
（先行技術文献）
（特許文献）
（特許文献１）  国際公開第２００６／１３８５２９号
（特許文献２）  米国特許第７，０６２，０１１号明細書
（特許文献３）  米国特許出願公開第２００２／１７６５３４号明細書
（非特許文献）
（非特許文献１）  ＷＥＳＴＭＩＮＳＴＥＲ  ＩＮＴＥＲＮＡＴＩＯＮＡＬ  ＬＴＤ．，Ｐａｌｌｅｔ  &  Ｃａｒｇｏ  Ｓｃａｎｎｅｒｓ−Ｓｅｃｕｒｉｔｙ  ｆｒｏｍ  Ｗｅｓｔｍｉｎｓｔｅｒ  Ｉｎｔｅｒｎａｔｉｏｎａｌ，Ｏｘｆｏｒｄｓｈｉｒｅ，Ｕｎｉｔｅｄ  Ｋｉｎｇｄｏｍ，２００９，ｏｎｅ  ｐａｇｅ
（非特許文献２）  Ｉｎｔｅｒｎａｔｉｏｎａｌ  ｓｅａｒｃｈ  ｒｅｐｏｒｔ  ｆｏｒ  ＰＣＴ／ＩＢ２０１１／０４０２５３  ｐｕｂｌｉｓｈｅｄ  ａｓ  ＷＯ  ２０１２／１７３５９７  Ａ１．
（非特許文献３）  ＭＡＵＤＥＲＬＩ  Ｗ  ＥＴ  ＡＬ："Ａ  ＣＯＭＰＵＴＥＲＩＺＥＤ  ＲＯＴＡＴＩＮＧ  ＬＡＭＩＮＡＲ  ＲＡＤＩＯＮＵＣＬＩＤＥ  ＣＡＭＥＲＡ"，ＪＯＵＲＮＡＬ  ＯＦ  ＮＵＣＬＥＡＲ  ＭＥＤＩＣＩＮＥ，ＳＯＣＩＥＴＹ  ＯＦ  ＮＵＣＬＥＡＲ  ＭＥＤＩＣＩＮＥ，ＲＥＳＴＯＮ，ＶＡ，ＵＳ，ｖｏｌ．２０，ｎｏ．４，１  Ｊａｎｕａｒｙ  １９７９（１９７９−０１−０１），ｐａｇｅｓ  ３４１−３４４